(57)【特許請求の範囲】
【請求項１】
ファンモータの回転により燃焼部に空気を供給する送風ファンと、前記ファンモータの回転数を検出する回転数検出手段とを設けた燃焼機器において、
前記ファンモータを電流駆動または電圧駆動するファンモータ駆動装置と、
前記燃焼部の非燃焼時における前記送風ファンの負荷検出時には、前記ファンモータを電流駆動し、同燃焼部の燃焼時には前記ファンモータを電圧駆動するように前記ファンモータ駆動装置を制御するモータ駆動制御装置と
を設けたことを特徴とする燃焼機器。
【請求項２】
ファンモータの回転により燃焼部に空気を供給する送風ファンと、前記ファンモータの回転数を検出する回転数検出手段とを設けた燃焼機器において、
前記フアンモータを電圧駆動するモータ電圧駆動装置と、
同ファンモータを電流駆動するモータ電流駆動装置と、
前記モータ電圧駆動装置とモータ電流駆動装置の駆動を制御するモータ駆動制御装置と、
前記モータ電圧駆動装置とモータ電流駆動装置の駆動を切り替える電圧電流駆動切り替え手段と、
前記燃焼部の非燃焼時における前記送風ファンの負荷検出時には、前記ファンモータの駆動をモータ電流駆動装置に行わせ、同燃焼部の燃焼時には前記ファンモータの駆動をモータ電圧駆動装置に行わせるように前記電圧電流駆動切り替え手段の切り替えを制御する切り替え制御手段と
を設けたことを特徴とする燃焼機器。
【請求項３】
ファンモータの回転により燃焼部に空気を供給する送風ファンと、前記ファンモータの回転数を検出する回転数検出手段とを設けた燃焼機器において、
前記フアンモータを電圧駆動するモータ電圧駆動装置と、
前記モータ電圧駆動装置の駆動を制御信号により制御するモータ駆動制御装置と、
前記燃焼部の非燃焼時における前記送風ファンの負荷検出時には、前記ファンモータの駆動が電流制御駆動であり、同燃焼部の燃焼時には前記ファンモータの駆動が電圧制御駆動であることを前記制御信号のデューティ比または周波数の違いにより判定する信号判定手段と、
同信号判定手段により前記制御信号が電流制御駆動を示すと判定されたとき、これに応じて前記モータ電圧駆動装置の駆動電流が一定になるように制限する電流制限手段と
を設けたことを特徴とする燃焼機器。
【発明の詳細な説明】
【０００１】
【発明の技術分野】
本発明は、給湯器等の燃焼機器に係り、特に給排気詰まりに対処する燃焼機器に関する。
【０００２】
【従来の技術及び発明が解決しようとする課題】
従来、この種の燃焼機器としては、例えば燃焼時に電圧駆動制御によりガス供給量（インプット）に対応した回転数になるようにファンモータを駆動し、ファンモータの回転数の変化により給排気詰まりを検出するようにしたものがある。しかし、この場合、燃焼状態によってガス供給量が変動し、それに対応してファンモータの回転数も変動するため、安定した状態での給排気詰まりの検出が困難であった。また、給排気詰まりによる風量減少によって燃焼状態が悪くなるという問題もあった。
【０００３】
これに対処するために、燃焼機器の非燃焼時にファンモータを電流制御駆動による一定電流で駆動し、回転数の上昇分により給排気詰まりを検出すると共に、燃焼制御も電流制御駆動により行うことが考えられる。しかし、電流制御駆動によりファンモータを駆動して燃焼制御を行う場合、ファンモータの巻線のインダクタンスによって電流の位相遅れが生じるため、図９に示すように、回転数を制御信号で変化させたときに応答の遅れが生じる。そのため、回転数がオーバーシュートして、燃焼制御が不安定になる等の問題があった。
本発明は、上記した問題を解決しようとするもので、給排気詰まりの程度を適正に検出すると共に、安定な燃焼制御を行うことができる燃焼機器を提供することを目的とする。
【０００４】
【課題を解決するための手段及び発明の効果】
上記目的を達成するために上記請求項１に係る発明の構成上の特徴は、ファンモータの回転により燃焼部に空気を供給する送風ファンと、ファンモータの回転数を検出する回転数検出手段とを設けた燃焼機器において、ファンモータを電流駆動または電圧駆動するファンモータ駆動装置と、燃焼部の非燃焼時における送風ファンの負荷検出時には、ファンモータを電流駆動し、燃焼部の燃焼時にはファンモータを電圧駆動するようにファンモータ駆動装置を制御するモータ駆動制御装置とを設けたことにある。
【０００５】
上記のように請求項１に係る発明を構成したことにより、燃焼機器の非燃焼時における送風ファンの負荷検出時には、ファンモータ駆動装置によるファンモータの駆動を電流制御駆動により行わせ、回転数検出手段によりファンモータ回転数を検出して、ファンモータ回転数の上昇分を知ることができる。その結果、回転数の上昇分により給湯器の給排気詰まりを適正に知ることができる。
そして、燃焼時には、モータ駆動制御装置の制御下にて、ファンモータ駆動装置によるファンモータの駆動を電圧制御駆動により行わせる。その結果、燃焼時には、インプットに見合った風量を出力するためのファンモータ駆動を電圧で制御することにより、応答の良いファンモータ制御を行うことができる。
【０００６】
また、上記請求項２に係る発明の構成上の特徴は、ファンモータの回転により燃焼部に空気を供給する送風ファンと、ファンモータの回転数を検出する回転数検出手段とを設けた燃焼機器において、フアンモータを電圧駆動するモータ電圧駆動装置と、ファンモータを電流駆動するモータ電流駆動装置と、モータ電圧駆動装置とモータ電流駆動装置の駆動を制御するモータ駆動制御装置と、モータ電圧駆動装置とモータ電流駆動装置の駆動を切り替える電圧電流駆動切り替え手段と、燃焼部の非燃焼時における送風ファンの負荷検出時には、ファンモータの駆動をモータ電流駆動装置に行わせ、燃焼部の燃焼時にはファンモータの駆動をモータ電圧駆動装置に行わせるように電圧電流駆動切り替え手段の切り替えを制御する切り替え制御手段とを設けたことにある。
【０００７】
上記のように請求項２に係る発明を構成したことにより、燃焼機器の非燃焼時における送風ファンの負荷検出時には、モータ電流駆動装置による一定電流駆動によりファンモータを駆動し、回転数検出手段によりファンモータ回転数を検出して、ファンモータの回転数の上昇分を知ることができる。その結果、回転数の上昇分により給湯器の給排気詰まりを適正に知ることができる。
そして、燃焼時には、切り替え制御手段の制御下にて電圧電流駆動切り替え手段によりモータ電流駆動装置からモータ電圧駆動装置に切り替え、電圧制御駆動によりファンモータの駆動を行わせる。その結果、燃焼時には、インプットに見合った風量を出力するためのファンモータ駆動を電圧で制御することにより、応答の良いファンモータ制御を行うことができる。
【０００８】
また、上記請求項３に係る発明の構成上の特徴は、ファンモータの回転により燃焼部に空気を供給する送風ファンと、ファンモータの回転数を検出する回転数検出手段とを設けた燃焼機器において、フアンモータを電圧駆動するモータ電圧駆動装置と、モータ電圧駆動装置の駆動を制御信号により制御するモータ駆動制御装置と、燃焼部の非燃焼時における送風ファンの負荷検出時には、ファンモータの駆動が電流制御駆動であり、燃焼部の燃焼時にはファンモータの駆動が電圧制御駆動であることを制御信号のデューティ比または周波数の違いにより判定する信号判定手段と、信号判定手段により制御信号が電流制御駆動を示すと判定されたとき、これに応じてモータ電圧駆動装置の駆動電流が一定になるように制限する電流制限手段とを設けたことにある。
【０００９】
上記のように請求項３に係る発明を構成したことにより、燃焼機器の非燃焼時における送風ファンの負荷検出時には、電流制限手段によりモータ電圧駆動装置の駆動が一定電流駆動にされ、ファンモータは一定電流で駆動され、回転数検出手段によりファンモータ回転数を検出して、回転数の上昇分を知ることができる。その結果、ファンモータの回転数の上昇分により給湯器の給排気詰まりを適正に知ることができる。
そして、燃焼時には、電流制限手段が働かず、モータ電圧駆動装置が、電圧制御駆動によりファンモータの駆動を行う。その結果、燃焼時には、インプットに見合った風量を出力するためのファンモータ駆動を電圧で制御することにより、応答の良いファンモータ制御を行うことができる。
さらに、請求項３に係る発明においては、モータ駆動制御装置の制御信号を信号判定用に用いることができるので、制御系統が簡略化され、給湯器の価格を安価にすることができる。
【００１０】
【発明の実施の形態】
以下、本発明の実施の形態を図面を用いて説明すると、図１は、第１の実施形態に係る燃焼機器である給湯器の概略構成を示したものである。
給湯器は、本体１０と、外部より本体１０内に導入された給水管Ｐ１  と給湯管Ｐ２  と、両管Ｐ１  ，Ｐ２  の間にて外周にフィンを設けることにより構成される熱交換器１１とを有している。給水管Ｐ１  には、本体１０外部にて水流スイッチ１２が取り付けられている。本体１０の下側には、熱交換器１１を加熱するガスバーナ１３が設けられ、ガスバーナ１３にはガス供給管ＰＧ  が連結されている。ガス供給管ＰＧ  にはガス通過量を調節する比例弁１４が介装されている。また、本体１０の下側には、ガスバーナ１３に燃焼用空気を供給する送風ファン１６が設けられている。送風ファン１６には、ファンモータ１６ａの回転数を検出する回転数検出器１５が設けられている。
【００１１】
ファンモータ１６ａには、図１に示すように、ファンモータ駆動部２０が接続されている。ファンモータ駆動部２０は、モータ電流駆動装置２１とモータ電圧駆動装置２２と電圧電流駆動切り替え部２３とを設けており、モータ電流駆動装置２１とモータ電圧駆動装置２２とは並列に電圧電流駆動切り替え部２３の入力側に接続され、電圧電流駆動切り替え部２３がファンモータ１６ａに接続されている。モータ電流駆動装置２１、モータ電圧駆動装置２２及び電圧電流駆動切り替え部２３は、制御回路１７の出力側に接続されている。
【００１２】
制御回路１７は、ＣＰＵ，ＲＯＭ，ＲＡＭ，タイマ，Ｉ／Ｏ等からなるマイクロコンピュータにより構成されており、図２及び図３に示すフローチャートに対応した「ファンモータ制御プログラムＩ」及び図５、図６及び図８に示すフローチャートに対応した「ファンモータ制御プログラムＩＩ」を実行する。また、制御回路１７には、器具停止回転数レベルＮＳＴ、警報インプットダウンレベルＮＫＩ及び給湯器の最初の非燃焼状態での運転時のファンモータの回転数である回転数初期値Ｎ０  が記憶されている。そして、制御回路１７の入力側には、上記水流スイッチ１２及び回転数検出器１５が接続されている。
【００１３】
次に、上記のように構成した第１の実施形態の動作について説明する。
図２に示すステップ３０にて「ファンモータ制御プログラムＩ」の実行が開始され、ステップ３１にて制御回路に記憶された器具停止回転数レベルＮＳＴ及びファン回転数初期値Ｎ０  が読み出される。つぎに、ステップ３２にてバーナ非燃焼時におけるファン回転数検出値ＮＨ  とファン回転数初期値Ｎ０  との差である回転数差△ＮＨ  が「０」に初期化される。さらに、ステップ３３にて検出フラグＫＦが、ファンモータ回転数検出が必要である状態を示す「１」にされる。ここで、検出フラグＫＦ＝０は、ファンモータ回転数検出が不要状態であることを示すものとする。
【００１４】
そして、ファンモータ回転数検出が必要であることに応じて、ステップ３４にて制御回路１７からパルス幅変調（以下、ＰＷＭと記す）されたモータ制御パルス信号がモータ電流駆動装置２１及びモータ電圧駆動装置２２に出力される。さらに、ステップ３５にて制御回路１７からモータ電流駆動制御信号が電圧電流駆動切り替え部２３に出力され、電圧電流駆動切り替え部２３は、ファンモータ１６ａへの接続をモータ電流駆動装置２１に切り替える。このモータ電流駆動装置２１による駆動により、ファンモータ１６ａを一定電流で駆動し、ステップ３６にて「非燃焼状態での回転数検出ルーチン」が実行され、ファンモータ回転数ＮＨ  が得られる。同時に、ステップ３７にて制御回路１７内のタイマが、次のファンモータの回転数検出までの時間Ｔ（例えば２２時間）の計時を開始する。つぎに、ステップ３８にて、検出された回転数ＮＨ  と回転数初期値Ｎ０  との差△ＮＨ  が算出され、ステップ３９にて前回の回転数差△ＮＨ  が新たに算出された回転数差△ＮＨ  に更新される。
【００１５】
すなわち、給湯器の非燃焼時における送風ファン１６の負荷検出時には、ファンモータ１６ａの駆動をモータ電流駆動装置２１により一定電流で行わせ、回転数検出器１５によりファンモータ回転数ＮＨ  を検出し、回転数差△ＮＨ  により回転数の上昇分を知ることにより、送風ファン１６の給排気詰まりを適正に知ることができる。
【００１６】
さらに、ステップ４０にて検出フラグＫＦが「０」にされ、ステップ４１にて回転数差△ＮＨ  と器具停止回転数レベルＮＳＴとが比較される。現時点では、回転数差△ＮＨ  は器具停止回転数レベルＮＳＴより小さいのでステップ４２にて「ＮＯ」との判定の基にプログラムはステップ４３に移され、回転数差△ＮＨ  と警報出力−インプットダウン運転回転数レベルＮＫＩとが比較される。現時点では、回転数差△ＮＨ  は警報出力−インプットダウン運転回転数レベルＮＫＩより小さいので、図３に示すステップ４４にて「ＮＯ」との判定の基にプログラムはステップ４５に移され、水流スイッチ１２がオンされたか否か、すなわち給湯器が燃焼運転に入ったか否かが判定される。
【００１７】
給水が開始され水流スイッチ１２がオンされると、ステップ４５にて「ＹＥＳ」との判定の基にプログラムはステップ４６に移され、制御回路１７からＰＷＭモータ制御パルス信号がモータ電流駆動装置２１及びモータ電圧駆動装置２２に出力される。さらに、ステップ４７にて制御回路１７からモータ電圧駆動制御信号が電圧電流駆動切り替え部２３に出力され、電圧電流駆動切り替え部２３は、ファンモータ１６ａへの接続をモータ電圧駆動装置２２に切り替える。そして、ステップ４８にて燃焼制御が開始される。
その結果、給湯器の燃焼動作時には、モータ電圧駆動装置２１によりファンモータ１６ａを駆動することにより、インプットに見合った風量を出力するファンモータ１６ａの制御を、図９に示すように、電流制御の場合のような回転数の応答遅れを生じることなく、安定に行うことができる。
【００１８】
燃焼制御は、水流スイッチ１２のオフすなわち給水の停止により終了するが、その間に上記非燃焼時のファンモータ回転数ＮＨ  の検出を行う上記所定時間Ｔが経過していないとステップ４９にて「ＮＯ」との判定の基にプログラムはステップ５０に移され、さらにステップ５０にて「ＹＥＳ」との判定の基にプログラムはステップ５１に移され「燃焼制御」が停止される。続いて、プログラムはステップ５２にてＫＦ＝１か否かが判定されるが、現時点ではＫＦ＝０なので「ＮＯ」との判定の基にプログラムはステップ５３に移され、水流スイッチ１２がオンされたか否か、すなわち給湯器が燃焼運転に入ったか否かが判定される。給水が開始され水流スイッチ１２がオンされると、ステップ５３にて「ＹＥＳ」との判定の基にプログラムはステップ４８に戻され、直ちに燃焼制御ルーチンが実行される。
【００１９】
燃焼制御中に所定時間Ｔが経過すると、ステップ４９にて「ＹＥＳ」との判定の基にプログラムはステップ５４に移され、回転数検出フラグＫＦ＝１すなわち回転数ＮＨ  の検出必要状態にされ、さらにステップ５５にてタイマカウントが停止される。そして、「燃焼制御」の終了後に、ステップ５２にて「ＹＥＳ」との判定の基に、プログラムはステップ３４に戻され、上記したように非燃焼時のファンモータ回転数の検出等が行われる。
【００２０】
そして、給湯器の使用が長期にわたり、給排気系の詰まりが大きくなり、回転数差△ＮＨ  が警報インプットダウンレベルＮＫＩ以上になると、ステップ４４にて「ＹＥＳ」との判定の基にプログラムはステップ５６に移され、給排気詰まりを警告する警報出力が行われる。さらに、ステップ５７にて給気量の減少に対応するためにインプットダウン運転指令が出され、供給ガス量が少なくされる。すなわち、インプットダウンさせることにより、風量減少に対応させることができ、給排気詰まりの進行に対し給湯器をさらに長い時間使用することができる。
【００２１】
給湯器の使用がさらに長期にわたり、給排気系の詰まりが限界に達し、回転数差△ＮＨ  が器具停止回転数レベルＮＳＴ以上になると、ステップ４２にて「ＹＥＳ」との判定の基にプログラムはステップ５８に移され、給湯器の運転が停止され、ステップ５９にてプログラムの実行が終了する。これにより、給湯器の酸欠燃焼等の不完全燃焼を防止することができる。
【００２２】
つぎに、第２の実施形態について図面により説明する。
第２の実施形態においては、上記第１の実施形態に示したファンモータ駆動部２０を、図４に示すように、変更したものである。ファンモータ駆動部６０は、制御回路１７から出力されたＰＷＭモータ制御パルス信号を電圧変換する平滑回路６１と、平滑回路６１からの電圧変換信号の電圧値に対応した電圧出力を生成するモータ電圧制御回路６２と、モータ電圧制御回路６２からの電圧出力をモータ駆動電圧としてファンモータ１６ａに出力するモータ駆動電圧出力回路６３を設けている。また、ファンモータ駆動部６０は、平滑回路６１からの電圧変換信号のレベルを判定し、レベルに応じて制限オン信号または制限オフ信号を出力する信号レベル判定回路６４と、制限オン信号を受けてモータ駆動電圧出力回路６３にファンモータ１６ａに流れる電流が一定になるようにモータ駆動電圧を制限する制限信号を出力する電流制限回路６５を設けている。ここでは、モータ制御パルス信号は、デューティ比が９０％以上と９０％以下の２種類の信号が用いられ、デューティ比が９０％以上の信号が制限オン信号に対応し、デューティ比が９０％以下の信号が制限オフ信号に対応している。
【００２３】
また、第２の実施形態では、「ファンモータ制御プログラムＩＩ」は、図５及び図６に示すように、上記第１の実施形態における「ファンモータ制御プログラムＩ」のステップ３４、３５を、ステップ６６（デューティ比が９０％以上のモータ制御パルス信号出力）に、ステップ４６、４７を、ステップ６７（デューティ比が９０％以下のモータ制御パルス信号出力）に変更したもので、その他の部分は上記第１の実施形態と同様である。
【００２４】
次に、上記のように構成した第２の実施形態の動作について説明する。
第２の実施形態においては、非燃焼時のファンモータの回転数を検出して給湯器の給排気詰まりを検出するとき、図５に示すステップ６６にて制御回路１７からデューティ比が９０％以上のＰＷＭモータ制御パルス信号がファンモータ駆動部６０に出力される。モータ制御パルス信号は、平滑回路６０で電圧変換されて、モータ電圧制御回路６２及び信号レベル判定回路６４に出力される。モータ電圧制御回路６２では、電圧変換信号に応じて電圧信号がモータ駆動電圧出力回路６３に出力され、モータ駆動電圧出力回路６３はモータ駆動電圧としてファンモータ１６ａに出力する。一方、信号レベル判定回路６４では、デューティ比が９０％以上のモータ制御パルス信号を受けて、制限オン信号を電流制限回路６５に出力する。電流制限回路６５は、これに応じてモータ駆動電圧出力回路６３にファンモータ１６ａに流れる電流が一定になるようにモータ駆動電圧を制限する制限信号を出力する。
【００２５】
その結果、電流制限回路６５によりモータ駆動電圧出力回路６３の駆動が一定電流駆動にされ、ファンモータ１６ａは一定電流で駆動され、回転数検出器１５によりファンモータ回転数を検出し、その上昇分を得ることできる。その結果、ファンモータの回転数の上昇分により給排気詰まりを適正に知ることができる。
【００２６】
また、給湯器が燃焼制御段階になると、図６に示すステップ６７にて制御回路１７からデューティ比が９０％以下のＰＷＭモータ制御パルス信号がファンモータ駆動部６０に出力される。モータ制御パルス信号は、平滑回路６０で電圧変換されて、モータ電圧制御回路６２及び信号レベル判定回路６４に出力される。モータ電圧制御回路６２では、電圧変換信号に応じて電圧信号がモータ駆動電圧出力回路６３に出力され、モータ駆動電圧出力回路６３はモータ駆動電圧としてファンモータ１６ａに出力する。一方、信号レベル判定回路６４では、デューティ比が９０％以下のモータ制御パルス信号を受けて、制限オフ信号を電流制限回路６５に出力する。電流制限回路６５は、これに応じてモータ駆動電圧出力回路６３に制限信号を出力せず、従って、ファンモータ１６ａは、モータ駆動電圧出力回路６３からのモータ駆動電圧により駆動される。
【００２７】
その結果、給湯器の燃焼動作時には、インプットに見合った風量を出力するファンモータ１６ａの制御を、図９に示すように、電流制御の場合のような回転数の応答遅れを生じることなく、安定に行うことができる。また、制御回路１７からのモータ制御信号を信号判定用に用いることができるので、制御系統が簡略化され、給湯器の価格を安価にすることができる。
【００２８】
つぎに、第３の実施形態について図面により説明する。
第３の実施形態においては、上記第２の実施形態に示したファンモータ駆動部６０を、図７に示すように、変更したものである。ファンモータ駆動部７０は、制御回路１７から出力されたＰＷＭモータ制御パルス信号を電圧変換する平滑回路７１と、平滑回路７１からの電圧変換信号の電圧値に対応した電圧出力を生成するをするモータ電圧制御回路７２と、モータ電圧制御回路７２からの電圧出力をモータ駆動電圧としてファンモータ１６ａに入力するモータ駆動電圧出力回路７３を設けている。また、ファンモータ駆動部６０は、制御回路１７から出力された周波数の異なるＰＷＭモータ制御パルス信号の周波数を判定し、周波数の高低に応じて制限オン信号または制限オフ信号を出力する周波数判定回路７４と、制限オン信号を受けてモータ駆動電圧出力回路６３にファンモータ１６ａに流れる電流が一定になるようにモータ駆動電圧を制限する電流制限回路７５を設けている。ここでは、モータ制御パルス信号は、周波数が４００Ｈｚと１００Ｈｚの２種類の信号が用いられ、４００Ｈｚの信号が制限オン信号に対応し、１００Ｈｚの信号が制限オフ信号に対応している。
【００２９】
また、第３の実施形態では、上記第２の実施形態の「ファンモータ制御プログラムＩＩ」においては、図８に示すように、ステップ６６をステップ７６（周波数が４００Ｈｚのモータ制御パルス信号出力）に、ステップ６７をステップ７７（周波数が１００Ｈｚのモータ制御パルス信号出力）に変更したもので、その他の部分は上記第２の実施形態と同様である。
【００３０】
以上に説明したように、第３の実施形態においては、電流制限回路６５によるモータ駆動電圧出力回路６３の制限を行わせる基準として、上記第２の実施形態に示したデューティ比が９０％以上及び以下のモータ制御パルス信号を用い信号レベル判定回路６４で判定していた代わりに、周波数４００Ｈｚ及び１００Ｈｚのモータ制御パルス信号を用い周波数判定回路７４で判定するようにしたものである。その効果は、第２の実施形態において示したものと同様である。
【図面の簡単な説明】
【図１】本発明の第１の実施形態に係る給湯器を概略的に示す構成図である。
【図２】図１に示す制御回路により実行される「ファンモータ制御プログラムＩ」のフローチャートの一部である。
【図３】同制御回路により実行される「ファンモータ制御プログラムＩ」のフローチャートの一部である。
【図４】第２の実施形態に係る給湯器を概略的に示す構成図である。
【図５】図４に示す制御回路により実行される「ファンモータ制御プログラムＩＩ」のフローチャートの一部である。
【図６】同制御回路により実行される「ファンモータ制御プログラムＩＩ」のフローチャートの一部である。
【図７】第３の実施形態に係る給湯器を概略的に示す構成図である。
【図８】図７に示す制御回路により実行される「ファンモータ制御プログラムＩＩ」のフローチャートの一部である。
【図９】モータ電流及びモータ電圧の立ち上がり時間及び電流制御及び電圧制御におけるファンモータ回転数の立ち上がり特性を示すグラフであり。
【符号の説明】
１０…本体、１１…熱交換器、１２…水流スイッチ、１３…ガスバーナ、１４…比例弁、１５…回転数検出器、１６…送風ファン、１６ａ…ファンモータ、１７…制御回路、２０，６０，７０…ファンモータ駆動部、Ｐ１…給水管、Ｐ２…給湯管、ＰＧ…ガス供給管。
【図１】
0003558435.tif 000002
【図２】
0003558435.tif 000003
【図３】
0003558435.tif 000004
【図４】
0003558435.tif 000005
【図５】
0003558435.tif 000006
【図６】
0003558435.tif 000007
【図７】
0003558435.tif 000008
【図８】
0003558435.tif 000009
【図９】
0003558435.tif 000010